(57)【要約】【課題】集客効果の高い情報提供システム、情報提供方法、情報提供プログラム、携帯通信端末装置および表示制御プログラムを提供する。【解決手段】携帯通信端末４は、基地局３１およびネットワーク２を介してサーバ装置１にアクセスし、商品情報と表示制御情報とを含むカタログデータおよび表示機能プログラムをダウンロードする。また、通信中の基地局３１を示す基地局情報を記憶する。携帯通信端末４は、表示機能プログラムにしたがって、記憶した基地局３１を示す基地局情報をキーとして表示制御情報を検索し、対応する商品情報を抽出して表示する。携帯通信端末４は、基地局３２の通信エリアに移動した場合には、基地局３２を示す基地局情報を記憶する。携帯通信端末４は、表示機能プログラムにしたがって、記憶した基地局３２を示す基地局情報をキーとして表示制御情報を検索し、対応する商品情報を抽出して表示する。【選択図】図１
2007179147.tif 000002
【特許請求の範囲】
【請求項１】
通信ネットワークを介して携帯通信端末装置に情報を配信するサーバ装置を備えた情報提供システムであって、
前記サーバ装置は、
前記携帯通信端末装置に提供するユーザ提供情報と、ユーザ提供情報における各位置において表示可能な情報量に対応する情報レベルを示す表示制御情報とを記憶する情報記憶手段と、
前記携帯通信端末装置からの要求に応じて、ユーザ提供情報と表示制御情報とを送信するユーザ提供情報送信手段とを備え、
前記携帯通信端末装置は、
前記サーバ装置から、ユーザ提供情報と表示制御情報とを受信する通信手段と、
自装置の位置を示す位置情報を取得する位置情報確認手段と、
前記通信手段が受信した表示制御情報から、前記位置情報確認手段が取得した位置情報に対応した情報レベルを選択する情報レベル選択手段と、
前記通信手段が受信したユーザ提供情報のうち前記情報レベル選択手段が選択した情報レベルに応じた情報を表示する表示手段と
を備えたことを特徴とする情報提供システム。
【請求項２】
情報記憶手段は、特定の位置からの距離が大きくなるに従って表示可能な情報量が少なくなるように設定された情報レベルを示す表示制御情報を記憶する
請求項１記載の情報提供システム。
【請求項３】
位置情報確認手段は、携帯通信端末装置の位置が変更された場合に、変更後の位置を示す情報を位置情報として取得する
請求項１または請求項２記載の情報提供システム。
【請求項４】
位置情報確認手段は、携帯通信端末装置が通信中の基地局の所在地を示す情報を位置情報として取得する
請求項１から請求項３のうちのいずれか１項に記載の情報提供システム。
【請求項５】
サーバ装置が通信ネットワークを介して携帯通信端末装置に情報を配信する情報提供方法であって、
前記サーバ装置が、
前記携帯通信端末装置に提供するユーザ提供情報と、ユーザ提供情報における各位置において表示可能な情報量に対応する情報レベルを示す表示制御情報とを記憶し、
前記携帯通信端末装置からの要求に応じて、ユーザ提供情報と表示制御情報とを送信し、
前記携帯通信端末装置が、
前記サーバ装置から、ユーザ提供情報と表示制御情報とを受信し、
自装置の位置情報を取得し、
受信した表示制御情報から、取得した位置情報に対応した情報レベルを選択し、
選択した情報レベルに応じた情報を表示する
ことを特徴とする情報提供方法。
【請求項６】
通信ネットワークを介して携帯通信端末装置に情報を配信するサーバ装置に搭載される情報提供プログラムであって、
前記サーバ装置に、
情報記憶手段に記憶されている携帯通信端末装置に提供するユーザ提供情報とユーザ提供情報における各位置において表示可能な情報量に対応する情報レベルを示す表示制御情報とを、前記携帯通信端末装置からの要求に応じて、前記携帯通信端末装置に送信する処理
を実行させるための情報提供プログラム。
【請求項７】
通信ネットワークを介して情報を配信するサーバ装置と通信可能な携帯通信端末装置であって、
前記サーバ装置から、携帯通信端末装置に提供されるユーザ提供情報と、ユーザ提供情報における各位置において表示可能な情報量に対応する情報レベルを示す表示制御情報とを受信する通信手段と、
自装置の位置情報を取得する位置情報確認手段と、
前記通信手段が受信した表示制御情報から、前記位置情報確認手段が取得した位置情報に対応した情報レベルを選択する情報レベル選択手段と、
前記通信手段が受信したユーザ提供情報のうち前記情報レベル選択手段が選択した情報レベルに応じた情報を表示する表示手段と
を備えたことを特徴とする携帯通信端末装置。
【請求項８】
通信ネットワークを介して情報を配信するサーバ装置と通信可能な携帯通信端末装置のコンピュータに搭載される表示制御プログラムであって、
前記コンピュータに、
前記サーバ装置から、携帯通信端末装置に提供されるユーザ提供情報と、ユーザ提供情報における各位置において表示可能な情報量に対応する情報レベルを示す表示制御情報とを受信する処理と、
携帯通信端末装置の位置情報を取得する処理と、
受信した表示制御情報から、位置情報に対応した情報レベルを選択する処理と、
選択した情報レベルに応じた情報を表示する処理と
を実行させるための表示制御プログラム。
【発明の詳細な説明】
【技術分野】
【０００１】
本発明は、通信ネットワークを介して情報を提供する情報提供システム、情報提供方法、情報提供プログラム、提供された情報の表示を制御する携帯通信端末装置および表示制御プログラムに関する。
【背景技術】
【０００２】
近年、携帯電話機等の携帯通信端末装置が著しく普及している。携帯電話機の機能には、音声による通話機能だけでなく、インターネットにアクセスして情報の提供を受けることができるなどの数多くの機能がある。
【０００３】
携帯電話機は、基地局と通信を行うことから、基地局の通信エリアを示す基地局情報を位置情報として利用することができる。また、ＧＰＳ(Global Positioning System )機能を搭載した携帯電話機の普及も進んでいる。
【０００４】
携帯端末の属する通信エリアを特定し、携帯端末の属する通信エリアに関係した情報を自動配信する情報配信システムが提供されている（例えば、特許文献１参照）。
【０００５】
【特許文献１】特開２００１−３２６９６０号公報（段落００２６−００２７）
【発明の開示】
【発明が解決しようとする課題】
【０００６】
しかし、特許文献１に記載されているシステムでは、ある情報の配信対象外のエリアに属する携帯端末には、情報が配信されない。そのために、広告宣伝効果や集客効果が低いという問題がある。
【０００７】
そこで、本発明は、集客効果の高い情報提供システム、情報提供方法、情報提供プログラム、携帯通信端末装置および表示制御プログラムを提供することを目的とする。
【課題を解決するための手段】
【０００８】
本発明による情報提供システムは、通信ネットワークを介して携帯通信端末装置に情報を配信するサーバ装置を備えた情報提供システムであって、サーバ装置は、携帯通信端末装置に提供するユーザ提供情報と、ユーザ提供情報における各位置において表示可能な情報量に対応する情報レベルを示す表示制御情報とを記憶する情報記憶手段と、携帯通信端末装置からの要求に応じて、ユーザ提供情報と表示制御情報とを送信するユーザ提供情報送信手段とを備え、携帯通信端末装置は、サーバ装置から、ユーザ提供情報と表示制御情報とを受信する通信手段と、自装置の位置を示す位置情報を取得する位置情報確認手段と、通信手段が受信した表示制御情報から、位置情報確認手段が取得した位置情報に対応した情報レベルを選択する情報レベル選択手段と、通信手段が受信したユーザ提供情報のうち情報レベル選択手段が選択した情報レベルに応じた情報を表示する表示手段とを備えたことを特徴とする。
【０００９】
情報記憶手段は、特定の位置からの距離が大きくなるに従って表示可能な情報量が少なくなるように設定された情報レベルを示す表示制御情報を記憶してもよい。そのような構成によれば、詳細情報を欲するユーザの意欲を煽り、特定のエリアへ誘導することができる。
【００１０】
位置情報確認手段は、携帯通信端末装置の位置が変更された場合に、変更後の位置を示す情報を位置情報として取得してもよい。そのような構成によれば、携帯通信端末装置の位置に応じた商品情報を表示することができる。
【００１１】
位置情報確認手段は、携帯通信端末装置が通信中の基地局の所在地を示す情報を位置情報として取得してもよい。そのような構成によれば、基地局情報を位置情報として利用することができる。
【００１２】
本発明による情報提供方法は、サーバ装置が通信ネットワークを介して携帯通信端末装置に情報を配信する情報提供方法であって、サーバ装置が、携帯通信端末装置に提供するユーザ提供情報と、ユーザ提供情報における各位置において表示可能な情報量に対応する情報レベルを示す表示制御情報とを記憶し、携帯通信端末装置からの要求に応じて、ユーザ提供情報と表示制御情報とを送信し、携帯通信端末装置が、サーバ装置から、ユーザ提供情報と表示制御情報とを受信し、自装置の位置情報を取得し、受信した表示制御情報から、取得した位置情報に対応した情報レベルを選択し、選択した情報レベルに応じた情報を表示することを特徴とする。
【００１３】
本発明による情報提供プログラムは、通信ネットワークを介して携帯通信端末装置に情報を配信するサーバ装置に搭載される情報提供プログラムであって、サーバ装置に、情報記憶手段に記憶されている携帯通信端末装置に提供するユーザ提供情報とユーザ提供情報における各位置において表示可能な情報量に対応する情報レベルを示す表示制御情報とを、携帯通信端末装置からの要求に応じて、携帯通信端末装置に送信する処理を実行させることを特徴とする。
【００１４】
本発明による携帯通信端末装置は、通信ネットワークを介して情報を配信するサーバ装置と通信可能な携帯通信端末装置であって、サーバ装置から、携帯通信端末装置に提供されるユーザ提供情報と、ユーザ提供情報における各位置において表示可能な情報量に対応する情報レベルを示す表示制御情報とを受信する通信手段と、自装置の位置情報を取得する位置情報確認手段と、通信手段が受信した表示制御情報から、位置情報確認手段が取得した位置情報に対応した情報レベルを選択する情報レベル選択手段と、通信手段が受信したユーザ提供情報のうち情報レベル選択手段が選択した情報レベルに応じた情報を表示する表示手段とを備えたことを特徴とする。
【００１５】
本発明による表示制御プログラムは、通信ネットワークを介して情報を配信するサーバ装置と通信可能な携帯通信端末装置のコンピュータに搭載される表示制御プログラムであって、コンピュータに、サーバ装置から、携帯通信端末装置に提供されるユーザ提供情報と、ユーザ提供情報における各位置において表示可能な情報量に対応する情報レベルを示す表示制御情報とを受信する処理と、携帯通信端末装置の位置情報を取得する処理と、受信した表示制御情報から、位置情報に対応した情報レベルを選択する処理と、選択した情報レベルに応じた情報を表示する処理とを実行させることを特徴とする。
【発明の効果】
【００１６】
本発明によれば、携帯通信端末の所在地に対応した情報レベルを選択可能であって、選択された情報レベルに応じた情報を表示することができるという効果がある。特に、特定のエリアからの距離が大きくなるに従ってユーザに見せることが可能な情報量が少なくなるよう、情報の制限に関する制御が実行されている。すなわち、ユーザが利用できる情報を制限することができることから、詳細な情報を欲するユーザの意欲を煽り、特定のエリアへ誘導することができる。また、基地局情報を位置情報として利用することができるという効果がある。
【発明を実施するための最良の形態】
【００１７】
実施の形態１．
以下、本発明の第１の実施の形態を図面を参照して説明する。図１は、本発明による情報提供システムの実施の一形態を示すブロック図である。図１に示す情報提供システムは、サーバ装置１と、携帯通信端末４とを備える。サーバ装置１と携帯通信端末４とは、ネットワーク２および基地局３１，３２，３３を介して通信可能である。ネットワーク２は、例えば、携帯通信網とインターネットとで構成される。
【００１８】
以下の説明では、ある住宅展示場において情報提供システムを導入した場合を例にして説明する。また、住宅展示場は、基地局３１の通信エリア内にあるものとする。
【００１９】
サーバ装置１は、ネットワーク２を介して情報の提供を行うサーバ装置であって、商品やイベントなどの情報を示すカタログデータと、ユーザの所在地とその履歴とを示す所在地情報とを格納するための記憶装置１１を有する。
【００２０】
また、サーバ装置１は、各種の制御を行うＣＰＵ（図示せず。）と、ネットワーク２に対するインタフェース部（図示せず。）とを含む。サーバ装置１は、携帯通信端末４からの要求に応じて、記憶装置１１に記憶するカタログデータを携帯通信端末４に送信する。上記の処理は、サーバ装置１に搭載されるＣＰＵが、それらの機能を実現するためのプログラムを実行することによって実現される。
【００２１】
カタログデータは、カタログごとの情報であって、ユーザに開示するためのユーザ提供情報としての「商品情報」と、商品情報の表示を制御するための「表示制御情報」とを含む情報である。
【００２２】
図２は、商品情報の例を示す説明図である。商品情報は、それぞれの商品やイベントに関する情報であって、個々の商品等に関する文字情報、静止画像、動画像などを含む情報である。静止画像や動画像として、拡大画像などを含んでもよい。商品情報は、図２に例示するように、住宅展示場に展示されているモデルハウスの画像や説明文などである。
【００２３】
図３は、表示制御情報の例を示す説明図である。表示制御情報は、各商品情報がどのエリアで表示されるかを示す情報であって、基地局情報と商品情報とを含む情報である。図３に例示する表示制御情報には、住宅展示場付近のエリアである基地局３１を示す基地局情報に対しては、商品情報として「目次」「モデルハウスＡ画像」「モデルハウスＡ拡大画像」を示す情報が格納される。また、住宅展示場から少し離れたエリアである基地局３２を示す基地局情報に対しては、商品情報として「目次」「モデルハウスＡ画像」を示す情報が格納される。基地局３１，３２以外の基地局情報に対しては、「目次」のみが格納される。すなわち、図３に例示する表示制御情報は、表示可能な商品情報が住宅展示場からの距離が大きくなるに従って少なくなるよう設定されている。なお、図３に示す例では、基地局３１について情報量が最も多く、基地局３２について情報量がやや少なくなり、基地局３１，３２以外について情報量が最も少ない。この実施の形態では、基地局３１について情報レベルが最も高く、基地局３２について情報レベルが中程度であり、基地局３１，３２以外について情報レベルが最も低いとする。
【００２４】
所在地情報は、携帯通信端末４の位置を示す基地局情報が、時刻を示すデータとともに時系列的に記憶された情報である。基地局情報は、携帯通信端末４が通信中の基地局を示す情報（具体的には、基地局の所在地を示す情報）であって、携帯通信端末４から送信される。なお、所在地情報において、最新の情報を現在位置を示す情報としてもよい。
【００２５】
また、記憶装置１１は、携帯通信端末４がカタログデータを表示するための表示機能プログラムを格納する。表示機能プログラムは、基地局情報確認機能と、カタログデータの商品情報抽出機能とを有する。基地局情報確認機能は、通信中の基地局を示す基地局情報を取得する機能である。また、商品情報抽出機能は、基地局情報をキーとして表示制御情報を検索し、対応する商品情報を抽出する機能である。つまり、表示制御情報から、基地局情報に対応した情報レベルを選択する機能を含む。表示機能プログラムは、携帯通信端末４がサーバ装置１にアクセスする際にダウンロードされ、携帯通信端末４において実行される。
【００２６】
さらに、記憶装置１１は、サーバ装置１が各種データを管理するための管理機能プログラムを格納する。管理機能プログラムは、カタログデータの編集・変更を行うための編集変更機能と、ユーザの利用基地局の履歴である所在地情報を管理する所在地情報管理機能とを有する。
【００２７】
編集変更機能と所在地情報管理機能とは、サーバ装置１に搭載されるＣＰＵが、それらの機能を実現するための管理機能プログラムを実行することによって実現される。
【００２８】
携帯通信端末４は、携帯電話機やＰＤＡ(Personal Digital Assistant)などの情報処理装置であり、通信機能を有する。図４は、携帯通信端末４の構成例を示すブロック図である。図４に示す携帯通信端末４は、制御部４１と、メモリ４２と、表示部４３と、無線部４４と、操作部４５と、マイクロフォン４６と、スピーカ４７とを有する。
【００２９】
制御部４１は、携帯通信端末４の各部を制御するＣＰＵ（図示せず。）を備える。制御部４１は、通話、インターネット接続などの各種の制御を実行する。
【００３０】
制御部４１は、サーバ装置１に初めてアクセスする際に、カタログデータおよび表示機能プログラムをダウンロードして、メモリ４２に記憶する。
【００３１】
制御部４１は、表示機能プログラムにしたがって、無線部４４と基地局との通信情報を参照することにより通信中の基地局を示す基地局情報を取得し、メモリ４２に記憶するとともに、基地局情報をサーバ装置１に送信する。また、制御部４１は、カタログデータおよび基地局情報を参照して、表示可能な商品情報を表示部４３に表示する。すなわち、制御部４１は、表示機能プログラムにしたがって、基地局情報をキーとして表示制御情報を検索し、対応する商品情報を抽出し、表示部４３に出力する。よって、表示部４３は、商品情報のうち選択された情報レベルに応じた情報を表示する。
【００３２】
メモリ４２は、例えば、書き込み可能な不揮発性メモリによって実現される。メモリ４２は、例えば、基地局情報、ネットワーク２を介してダウンロードされるカタログデータや表示機能プログラム、携帯通信端末４の各種設定を行うための設定アプリケーションなどの情報を記憶する。なお、メモリ４２が記憶する情報は、携帯通信端末４の工場出荷時等に予め記憶される情報だけでなく、通信ネットワーク２を介してダウンロードされる情報等を含む。
【００３３】
表示部４３は、例えば、液晶ディスプレイ装置で実現され、テキストや画像などの各種のデータを表示する。無線部４４は、アンテナを介して基地局３１〜３３と無線通信を行う。操作部４５は、数字や文字の入力操作等を行うための複数の操作キーを有する。マイクロフォン４６は、通話を行うための音声入力装置であり、スピーカ４７は、通話を行うための受話音声出力装置である。
【００３４】
第１の実施の形態において、商品情報記憶手段は、記憶装置１１によって実現される。商品情報送信手段は、サーバ装置に搭載されるＣＰＵによって実現される。通信手段と位置情報確認手段とは、制御部４１および無線部４４によって実現される。商品情報抽出手段は、制御部４１によって実現される。表示手段は、表示部４３によって実現される。
【００３５】
次に、第１の実施の形態の動作について説明する。まず、携帯通信端末４が、基地局３１の通信エリアにある場合を例にして説明する。
【００３６】
携帯通信端末４の制御部４１は、基地局３１およびネットワーク２を介してサーバ装置１にアクセスし、カタログデータおよび表示機能プログラムを要求する。サーバ装置１は、記憶装置１１に記憶するカタログデータおよび表示機能プログラムを携帯通信端末４に送信する。
【００３７】
携帯通信端末４の制御部４１は、カタログデータおよび表示機能プログラムをダウンロードしてメモリ４２に記憶する。また、通信中の基地局３１を示す基地局情報をメモリ４２に記憶するとともに、サーバ装置１に送信する。サーバ装置１は、受信した基地局情報を、時刻を示すデータとともに所在地情報として記憶装置１１に記憶する。
【００３８】
制御部４１は、表示機能プログラムにしたがって、基地局３１を示す基地局情報をキーとして表示制御情報を検索し、対応する商品情報を抽出する。図３に示す例では、商品情報「目次」「モデルハウスＡ画像」「モデルハウスＡ拡大画像」が抽出される。
【００３９】
制御部４１は、抽出した商品情報を表示部４３に出力する。すなわち、基地局３１の通信エリア内において、携帯通信端末４の利用者は、商品情報「目次」「モデルハウスＡ画像」「モデルハウスＡ拡大画像」の表示を閲覧することができる。
【００４０】
次に、携帯通信端末４が、基地局３２の通信エリアに移動した場合を例にして説明する。この場合、携帯通信端末４の制御部４１は、通信中の基地局３２を示す基地局情報をメモリ４２に記憶するとともに、サーバ装置１に送信する。サーバ装置１は、受信した基地局情報を、時刻を示すデータとともに所在地情報として記憶装置１１に記憶する。
【００４１】
制御部４１は、表示機能プログラムにしたがって、基地局３２を示す基地局情報をキーとして、メモリ４２に記憶する表示制御情報を検索し、対応する商品情報を抽出する。図３に示す例では、商品情報「目次」「モデルハウスＡ画像」が抽出される。
【００４２】
制御部４１は、抽出した商品情報を表示部４３に出力する。すなわち、基地局３２の通信エリア内において、携帯通信端末４の利用者は、商品情報「目次」「モデルハウスＡ画像」の表示を閲覧することができる。
【００４３】
次に、携帯通信端末４が、基地局３３の通信エリアに移動した場合を例にして説明する。この場合、携帯通信端末４の制御部４１は、通信中の基地局３３を示す情報をメモリ４２に記憶するとともに、サーバ装置１に送信する。サーバ装置１は、受信した基地局情報を、時刻を示すデータとともに所在地情報として記憶装置１１に記憶する。
【００４４】
制御部４１は、表示機能プログラムにしたがって、基地局３３を示す基地局情報をキーとして、メモリ４２に記憶する表示制御情報を検索し、対応する商品情報を抽出する。図３に示す例では、基地局３３は基地局３１，３２以外であるとして、商品情報「目次」が抽出される。
【００４５】
制御部４１は、抽出した商品情報を表示部４３に出力する。すなわち、基地局３３の通信エリア内において、携帯通信端末４の利用者は、商品情報「目次」の表示のみを閲覧することができる。
【００４６】
また、携帯通信端末４が通信エリア圏外にある場合の基地局情報は、基地局３１，３２以外であるとしてもよい。図３に示す例では、携帯通信端末４が通信エリア圏外にある場合、基地局３１，３２以外であるとして、商品情報「目次」が抽出されて表示される。
【００４７】
上記に示す例では、住宅展示場がある基地局３１から離れた基地局３２，３３の通信エリアでは、限られた商品情報しか閲覧することができないが、基地局３１の通信エリアでは、他のエリアでは閲覧できない商品情報をも閲覧することができる。したがって、例えば、「目次」として、住宅展示場への案内情報や、住宅展示場でモデルハウスＡの拡大画像を閲覧可能である旨の情報を提供することにより、ユーザを住宅展示場に誘導する効果や集客効果を高めることができる。
【００４８】
なお、表示機能プログラムは、Ｊａｖａ（登録商標）で開発されたアプリケーション（Ｊａｖａアプリケーション）であってもよく、カタログデータもＪａｖａアプリケーション用のデータであってもよい。また、アプリケーションの開発言語はＪａｖａに限られない。
【００４９】
以上に説明したように、第１の実施の形態によれば、携帯通信端末の所在地に応じて、表示する情報量を設定可能であって、ユーザが利用できる情報を制限することができる。特に、特定のエリアからの距離が大きくなるに従ってユーザに見せることが可能な情報量が少なくなるよう、情報の制限に関する制御が実行されている。そのため、詳細な情報を欲するユーザの意欲を煽り、特定のエリアへ誘導することができる。
【００５０】
また、携帯通信端末のインターネット接続機能を用いてカタログデータを閲覧できることから、紙媒体のカタログよりも詳細かつ豊富な情報提供が可能となり、ユーザへの商品情報の周知の向上を図ることができる。例えば、最新情報をリアルタイムにインターネット経由で提供したり、動画や音声情報を提供することも可能となり、カタログの利用頻度を高めることが見込まれる。これにより、運営者にとっては、より効果的なサービスプロモーションを実施することができる。
【００５１】
さらに、カタログデータの閲覧時に毎回サーバ装置１からカタログデータをダウンロードする必要がなく、通信エリア圏内か否かの確認の通信を行うだけでよいという効果がある。そのため、情報の閲覧における利便性が向上し、通信費の削減につながるという効果もある。また、通信エリア圏外であってもカタログデータを表示することができる。
【００５２】
実施の形態２．
以下、本発明の第２の実施の形態を図１を参照して説明する。第２の実施の形態における情報提供システムの構成は、第１の実施の形態における構成（図１参照。）と同様であるため、説明を省略する。
【００５３】
以下の説明では、ある住宅展示場において情報提供システムを導入した場合を例にして説明する。また、住宅展示場は、基地局３１の通信エリア内にあるものとする。
【００５４】
第１の実施の形態と同様に、サーバ装置１は、ネットワーク２を介して情報の提供を行うサーバ装置であって、商品やイベントなどの情報を示すカタログデータと、ユーザの所在地とその履歴とを示す所在地情報とを格納するための記憶装置１１を有する。カタログデータは、カタログごとの情報であって、ユーザに開示するための「商品情報」と、商品情報の表示を制御するための「表示制御情報」とを含む情報である。
【００５５】
図５は、表示制御情報の例を示す説明図である。表示制御情報は、各商品情報がどのエリアで表示されるかを示す情報であって、基地局情報と商品情報とを含む情報である。図５に例示する表示制御情報には、住宅展示場付近のエリアである基地局３１を示す基地局情報に対しては、商品情報として「目次」「モデルハウスＡ画像」「モデルハウスＢ画像」「モデルハウスＣ画像」を示す情報が格納される。また、住宅展示場から少し離れたエリアである基地局３２を示す基地局情報に対しては、商品情報として「目次」のみが格納される。基地局３１，３２以外の基地局情報に対しては、商品情報は格納されない。
【００５６】
次に、第２の実施の形態の動作について説明する。まず、携帯通信端末４が、基地局３１の通信エリアにある場合を例にして説明する。
【００５７】
携帯通信端末４の制御部４１は、基地局３１およびネットワーク２を介してサーバ装置１にアクセスし、カタログデータおよび表示機能プログラムを要求する。サーバ装置１は、記憶装置１１に記憶するカタログデータおよび表示機能プログラムを携帯通信端末４に送信する。
【００５８】
携帯通信端末４の制御部４１は、カタログデータおよび表示機能プログラムをダウンロードしてメモリ４２に記憶する。また、通信中の基地局３１を示す基地局情報をメモリ４２に記憶するとともに、サーバ装置１に送信する。サーバ装置１は、受信した基地局情報を、時刻を示すデータとともに所在地情報として記憶装置１１に記憶する。
【００５９】
制御部４１は、表示機能プログラムにしたがって、基地局３１を示す基地局情報をキーとして表示制御情報を検索し、対応する商品情報を抽出する。図５に示す例では、商品情報「目次」「モデルハウスＡ画像」「モデルハウスＢ画像」「モデルハウスＣ画像」が抽出される。
【００６０】
制御部４１は、抽出した商品情報を表示部４３に出力する。すなわち、基地局３１の通信エリア内において、携帯通信端末４の利用者は、商品情報「目次」「モデルハウスＡ画像」「モデルハウスＢ画像」「モデルハウスＣ画像」の表示を閲覧することができる。
【００６１】
次に、携帯通信端末４が、基地局３２の通信エリアに移動した場合を例にして説明する。この場合、携帯通信端末４の制御部４１は、通信中の基地局３２を示す基地局情報をメモリ４２に記憶するとともに、サーバ装置１に送信する。サーバ装置１は、受信した基地局情報を、時刻を示すデータとともに所在地情報として記憶装置１１に記憶する。
【００６２】
制御部４１は、表示機能プログラムにしたがって、基地局３２を示す基地局情報をキーとして表示制御情報を検索し、対応する商品情報を抽出する。図３に示す例では、商品情報「目次」が抽出される。
【００６３】
制御部４１は、抽出した商品情報を表示部４３に出力する。すなわち、基地局３２の通信エリア内において、携帯通信端末４の利用者は、商品情報「目次」の表示のみを閲覧することができる。
【００６４】
次に、携帯通信端末４が、基地局３３の通信エリアに移動した場合を例にして説明する。この場合、携帯通信端末４の制御部４１は、通信中の基地局３３を示す情報をメモリ４２に記憶するとともに、サーバ装置１に送信する。サーバ装置１は、受信した基地局情報を、時刻を示すデータとともに所在地情報として記憶装置１１に記憶する。
【００６５】
制御部４１は、表示機能プログラムにしたがって、基地局３３を示す基地局情報をキーとして、表示制御情報を検索し、対応する商品情報を抽出する。図３に示す例では、基地局３３は基地局３１，３２以外であるとして、商品情報は抽出されない。
【００６６】
制御部４１は、情報が表示されない旨のメッセージ等を表示部４３に出力する。すなわち、基地局３３の通信エリア内において、携帯通信端末４の利用者は、商品情報を閲覧することができない。
【００６７】
上記の第２の実施の形態によれば、住宅展示場がある基地局３１から離れた基地局３３の通信エリアでは、商品情報を閲覧することができず、基地局３２の通信エリアにおいても、限定された商品情報しか閲覧することができないが、基地局３１の通信エリアでは他のエリアでは閲覧できない商品情報をも閲覧することができる。すなわち、携帯通信端末の所在地に応じて、表示する情報量を設定することができるとともに、情報を表示しないように設定することもできる。したがって、第１の実施の形態と同様に、商品情報が表示される通信エリアにある住宅展示場に、ユーザを誘導する効果や集客効果を高めることができる。
【００６８】
実施の形態３．
以下、本発明の第３の実施の形態を図１を参照して説明する。第３の実施の形態における情報提供システムの構成は、第１の実施の形態における構成（図１参照。）と同様であるため、説明を省略する。
【００６９】
図６は、表示制御情報の例を示す説明図である。図６に例示する表示制御情報には、住宅展示場付近のエリアである基地局３１を示す基地局情報に対しては、商品情報として「目次」「モデルハウスＡ，Ｂ，Ｃ全画像」「モデルハウスＡ画像」「モデルハウスＢ画像」「モデルハウスＣ画像」「モデルハウスＡ拡大画像」「モデルハウスＢ拡大画像」「モデルハウスＣ拡大画像」を示す情報が格納される。また、住宅展示場から少し離れたエリアである基地局３２を示す基地局情報に対しては、商品情報として「目次」「モデルハウスＡ，Ｂ，Ｃ全画像」「モデルハウスＡ画像」「モデルハウスＢ画像」「モデルハウスＣ画像」を示す情報が格納される。基地局３１，３２以外の基地局情報に対しては、「目次」のみが格納される。
【００７０】
ここで、商品情報は、階層的に表示される情報であってもよい。例えば、基地局３１の通信エリアでは、「目次」の表示後、画面上の所定のボタン等をマウス等で選択することによって「モデルハウスＡ，Ｂ，Ｃ全画像」が表示され、Ａ，Ｂ，Ｃのいずれかを示す情報を選択することによって、それぞれ「モデルハウスＡ画像」「モデルハウスＢ画像」「モデルハウスＣ画像」が表示される。また、さらにそれぞれの画像を選択すると、「モデルハウスＡ拡大画像」「モデルハウスＢ拡大画像」「モデルハウスＣ拡大画像」が表示されてもよい。
【００７１】
また、例えば、基地局３２の通信エリアでは、「目次」の表示後、画面上の所定のボタン等をマウス等で選択することによって「モデルハウスＡ，Ｂ，Ｃ全画像」が表示され、Ａ，Ｂ，Ｃのいずれかを示す情報を選択することによって、それぞれ「モデルハウスＡ画像」「モデルハウスＢ画像」「モデルハウスＣ画像」が表示される。
【００７２】
上記の第３の実施の形態によれば、第１の実施の形態による効果に加えて、階層的に表示される情報について、携帯通信端末の所在地に応じた情報を表示することができる。
【００７３】
なお、上記の各実施の形態では、携帯通信端末４の位置を示す情報として、基地局情報を利用したが、例えば、ＧＰＳ等によって計測された経緯度情報などであってもよく、基地局情報に限られない。
【産業上の利用可能性】
【００７４】
本発明は、携帯通信端末装置に情報を配信する情報提供システムおよび携帯通信端末装置に効果的に適用することができ、特に、集客効果を高めるために有用である。
【図面の簡単な説明】
【００７５】
【図１】本発明による情報提供システムの実施の一形態を示すブロック図である。
【図２】商品情報の例を示す説明図である。
【図３】表示制御情報の例を示す説明図である。
【図４】携帯通信端末の構成例を示すブロック図である。
【図５】表示制御情報の例を示す説明図である。
【図６】表示制御情報の例を示す説明図である。
【符号の説明】
【００７６】
１    サーバ装置
１１  記憶装置
２    ネットワーク
３１，３２，３３  基地局
４    携帯通信端末
【図１】
2007179147.tif 000003
【図２】
2007179147.tif 000004
【図３】
2007179147.tif 000005
【図４】
2007179147.tif 000006
【図５】
2007179147.tif 000007
【図６】
2007179147.tif 000008